(57)【要約】      （修正有）【課題】ラジオペンチに２枚の靴ベラを接続、合併し靴の踵部を踏み潰す事もなくテコの原理を応用し少労力で、敏速、安全、安楽に靴を装着できる靴装着補助器具を提供する。【解決手段】靴を履くとき足踵部を誘導し装着を助ける働きをする合成金属からなる、２枚の靴ベラ状ヘラ４、５をラジオペンチ先端部２、３へ接着させた事を特徴とし又ラジオペンチ作用部は前側に成る方が４センチ短く成っており、そして両方のハンドにはカバー１ａ、１ｂが掛かっている、片方のカバーの上部に保管用の紐通し穴１ｃを設けたことを特徴とする。【選択図】図１
0003198858.tif 000002
【実用新案登録請求の範囲】
【請求項１】
ラジオペンチ本体作用部に２枚の靴ベラを接続した事を特徴とする、靴の踵部を内側、靴ベラと外側、靴ベラで挟み靴の踵部を踏み潰す事もなく少労力で敏速、安全、安楽に靴を装着する事が出来る靴装着補助具。
【考案の詳細な説明】
【技術分野】
【０００１】本考案は従来の靴ベラ、ステンレース又は合成金属等で作られた，ものを、ラジオペンチに接続した、靴ベラに関するものである。
【背景技術】
【０００２】介護，介助、の必要人に靴を履かす場合、踵部に人さし指か、従来の靴ベラを入れて靴の踵部を引き上げていた。
【考案の概要】
【考案が解決しようする課題】
【０００３】本考案は、施設等で入浴介助や、集団移動など、又家庭内でも靴を履かせて上げないと、いけない人例えば、高齢者や身障者の方を介助する時、やりつけて、ない人が携わると靴の踵部を踏み潰すとか大変な時間と労力を要す。そんな力、時間を軽減し、負担を軽くする事に依り、前述の欠点を解決するものである。
【課題を解決するための手段】
【０００４】本考案はラジオペンチの、作用部を切断、改造したものに、２枚の靴ベラを接続する。尚ラジオペンチの作用部１ａの前側に成る方は、下から上へ３センチ部分を切断しラジオペンチ作用部２，３、の両先端部より上に向けて４センチの所に２枚の靴ベラ接続す。靴ベラは前後が一目で分かる様に前の作用部が３センチ短く成ってる最初からラジオペンチの先端を靴ベラに作るのも良いと思う。前述の靴ベラ付き１ａを、靴の踵部内側に挿入し足の足背から、踵を入れる靴の踵外側にベラ付き１ｂを当てて２枚の靴ベラで踵部を挟みラジオペンチのハンドを、片手でしっかり閉じて引き上げれば靴の踵部を踏み潰す事もなく微力、敏速、安全、安楽、に介助が出来る事に依り問題解決している。
【考案の効果】
【０００５】本考案の靴装着補助具はラジオペンチ、と２枚の靴ベラで踵部を挟み引き上げる事により従来靴の後部に，ついている凸出部つまみ実際には，ついて、ない靴の方が多いい、そのつまみを指先で掴み引き上げたり靴と踵との間に指を入れて引き上げて、履かすより可なり楽である。利点として片手で操作出来るし時間が掛からないし、軽い力で出来る。難点の足サイズに対して靴の大きさがギリギリだったり、少し小いさ目だったりすると凸出部を指先で掴み引き上げるには指先に力が入らず時間もかかる又靴ベラを同時に使用すると左手でベラを使い右手で凸手を掴むとか、しないといけない、なかなか困難である、上述の困難及び靴の踵部を踏み、潰す門題点を、この靴装着補助具なら解決出来る。
【図面の簡単な説明】
【０００６】
【図１】本考案、靴装着補助具となるラジオペンチに、２枚の靴ベラを接続した完成図。
【図２】ラジオペンチ、ハンド、１ａ、１ｂ、に靴ベラ２枚前側４と後側５を接続してハンドを、側面から見た図。
【図３】靴ベラ縦、横、の断面図。
【図４】Ａ図、靴本体と装着前の図。Ｂ図、実際に足を挿入した装着完了図
【考案を実施するための形態】
【０００７】  本考案は、ラジオペンチ作用部２，３、部分に靴ベラ４、５、を接続したものである。ラジオペンチ作用部は前側２、が作用部３後側より３センチ短い作用部２の先端から上に３センチの所で切断するから、図２参照、装着補助具の前、後ろが一目で分かる様にし靴本体に指先及び足背から踵部を入れ踵部の後ろに靴ベラ４を密着挿入し靴本体の踵部外側を靴ベラ５とで挟みハンドを閉じて、引き上げる事で靴の踵部を踏み潰す事もなく靴を装着する事が出来る。
【実施例】
【０００８】添付図面に従って実施例を説明する。図面１の、１ａ、１ｂは合成金属で出来たラジオペンチのハンド部分、２、３、はラジオペンチの作用部。４、５、は靴ベラ前、と後ろ、この靴ベラで靴本体の踵部を内側と外側で挟み指先及び足背から踵を、内側靴ベラに添って挿入しハンドを閉じる事で、靴の踵部を踏み、潰す事もなく、ハンドを引き上げ靴を装着出来る。【０００９】図１はラジオペンチ、ハンド部にプラスチック、カバーがついた物でハンド１ｂのカバーの上部に１ｃ紐、通し穴があり装着補助具をどこに掛けてでも保管出来る。【００１０】図１のラジオペンチ、作用部２、３、は前側２の方が後側３より３センチ短くしてある。装着補助器具の前、後ろが一目で分かる様にしている。又作用部の両先端から、上に４センチ部分に靴ベラ４，５、を接続したもの。靴ベラは側面から見た形ちになってる。【００１１】添付図２のＡ図、ハンド１ａへ靴ベラ４を接続してハンドを側面から見た図ハンド作用部２が下から３センチ部分で切断されてる。【００１２】添付図２のＢ図ハンド、１ｂの作用部３は現形のままで切断しない、これはハンドの作用部を見れば靴装着補助具の前、後ろの見分けが、一目で分かる様にしてる、尚、靴ベラは両ハンド作用部の先端より上に４センチの部分に接続する。【００１３】添付図３は靴ベラの縦Ａ図、横Ｂ図、の断面図Ｂ図は靴ベラの断面図を上から見た図。縦も横も僅かな曲り歪みあり。【００１４】添付図４、Ａ図は実際に靴を装着する前で靴の内側と外側を２枚の靴ベラで挟み、足を挿入したらハンドを引き上げる状態の図である。
Ｂ図は実際に靴へ、足の指先から足背、踵と挿入し靴の踵部を内側靴ベラと外側靴ベラで、しっかり挟み、ハンドを閉じて、踵部を引き上げて、靴装着を完了した図。【００１５】以上のように本考案はラジオペンチと２枚の靴ベラを利用し靴を装着する事を特徴とするものである。
ラジオペンチ作用部２、３、部分に靴ベラ４、５、を接続した物を靴の踵部に挿入、注意  作用部２、の短い方が前、作用部３、の長い方が後、そこに実際の足を指先及び足背から踵部と前側靴ベラに密着して挿入す。靴の踵部、外側に当てて、いた靴ベラと前側に挿入してた靴ベラ２枚とで靴の踵部をしっかり挟み、ハンドを閉じてラジオペンチ本体を引き上げる。そうする事によって、靴の踵部を踏み、潰す事もなく、幼児から身体障害者、介護、介助、を要する人達ち特に高齢者の方々に、少労力で敏速、安全、安楽、に靴を装着して上げる事が出来る。
【符号の説明】
【００１６】  １  ラジオペンチ本体
１ａ  ハンド前側
１ｂ  ハンド後側
１ｃ  かけ紐通し穴
２  ラジオペンチ作用部前側
３  ラジオペンチ作用部後側
４  靴ベラ前側
５  靴ベラ後側
６  靴本体
７  足
【図１】
0003198858.tif 000003
【図２】
0003198858.tif 000004
【図３】
0003198858.tif 000005
【図４】
0003198858.tif 000006
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
靴を履くとき足踵部を誘導し装着を助ける働きをする合成金属からなる、２枚の靴ベラ状ヘラをラジオペンチ先端部へ接着させた事を特徴とし又ラジオペンチ作用部は前側に成る方が４センチ短く成っており、そして両方のハンドにはカバーが掛かっている、片方のカバーの上部に保管用の紐通し穴を設けた靴装着補助器具。